(57)【要約】【課題】文字板に設けられた文字や目盛等の表示部と、指針とをオーバラップさせて表示でき、且つ立体感に富む斬新な見映えが得られる透過型円盤指針を備える表示装置を提供する。【解決手段】導光円盤指針１を無色透明の樹脂材料から形成し且つ視認者側から見て凹面を成す形状に形成するとともに、文字２ａを備える文字盤２と、主目盛３ａおよび副目盛３ｂ備える目盛板３とを導光円盤指針１の前面側、裏面側にそれぞれ配置した。これにより、指針１ｃの見映えを立体感に富むものとし且つ文字２ａ、主目盛３ａおよび副目盛３ｂと指針１ｃとをオーバラップさせて表示することができる。したがって、良好な視認性、且つ斬新な見映えのスピードメータＳを提供できる。【選択図】図２
2007309836.tif 000002
【特許請求の範囲】
【請求項１】
指針を有する円盤状の指針盤と、
前記指針盤の前面側に配置された第１表示部を有する第１文字盤および前記指針盤の裏面側に配置された第２表示部を有する第２文字盤の少なくとも一方を備える表示装置であって、
前記指針盤は、透光性材料により構成され、前記指針盤の内部を光が進行するようになっており、
前記指針盤は、視認方向において湾曲するような形状に形成され、
前記指針盤の内部に光を照射する第１光源と、
前記指針盤に設けられ、前記指針を表すように、前記指針盤の内部を進行する光を視認者側に導く導光手段とを備えることを特徴とする表示装置。
【請求項２】
前記指針盤は視認者側から見て凹面を成すように形成されたことを特徴とする請求項１に記載の表示装置。
【請求項３】
前記指針盤の回転軸は前記指針盤と一体的に形成され、
前記第１光源は前記回転軸の端面から前記指針盤の内部に光を照射可能に配置されたことを特徴とする請求項１または請求項２に記載の表示装置。
【請求項４】
前記第１文字盤は透光性材料により構成され、前記第1文字盤の内部を光が進行するようになっており、
前記第１文字盤の内部に光を照射する第２光源と、
前記第１文字盤に設けられ、前記第１表示部を表すように、前記第１文字盤の内部を進行する光を視認者側に導く導光手段とを備えることを特徴とする請求項１ないし請求項３のいずれかに記載の表示装置。
【請求項５】
前記第１文字盤は視認者側から見て凹面を成すように形成されたことを特徴とする請求項１に記載の表示装置。
【発明の詳細な説明】
【技術分野】
【０００１】
本発明は、透過型円盤指針を備える表示装置に関するものであり、特に車両に搭載される計器等の車両用表示装置に用いて好適なものである。
【背景技術】
【０００２】
従来の表示装置の１つとして、透過型円盤指針を備えるアナログメータがある。透過型円盤指針は、例えば、回転駆動内機により回転駆動される円盤状の指針板にスリットを設け、指針板のうちスリットを除く部分を不透光性として、指針板の背後から光を照射することで、このスリットからの光を指針として見えるようにしたものである（例えば、特許文献１参照）。
【特許文献１】特許第３０１２０９０号公報
【発明の開示】
【発明が解決しようとする課題】
【０００３】
ところで、一般に表示装置では、例えば、指針が指し示す文字や目盛等の表示部の判読性を向上させるためには、文字板の前面側に指針板を配置して、文字板に設けられた文字や目盛等と、指針とをオーバラップさせて表示させることが好ましい。
【０００４】
しかし、上記した従来の透過型円盤指針では、指針板のうちスリットを除く部分が不透光性（不透明）であることから、これらをオーバラップさせると文字や目盛等が指針板の陰になり見えなくなってしまうため、指針板を文字板に設けられた文字や目盛等とオーバラップさせて配置することができなかった。
【０００５】
また、上記した従来の透過型円盤指針では、指針板は平面状に形成されているため、表示装置の見映えが平板的で立体感に乏しい面白味に欠けるものとなってしまう。
【０００６】
本発明は、上記点に鑑み、従来とは異なる新規な構造の透過型円盤指針を備える表示装置を提供することを第１の目的とする。また、文字板に設けられた文字や目盛等の表示部と、指針とをオーバラップさせて表示させることができ、且つ立体感に富む斬新な見映えが得られる透過型円盤指針を備える表示装置を提供することを第２の目的とする。
【課題を解決するための手段】
【０００７】
本発明は上記目的を達成する為、以下の技術的手段を採用する。
【０００８】
本発明の請求項１に記載の表示装置は、指針を有する円盤状の指針盤と、指針盤の前面側に配置された第１表示部を有する第１文字盤および指針盤の裏面側に配置された第２表示部を有する第２文字盤の少なくとも一方を備える表示装置であって、指針盤は、透光性材料により構成され、指針盤の内部を光が進行するようになっており、指針盤は、視認方向において湾曲するような形状に形成され、指針盤の内部に光を照射する第１光源と、指針盤に設けられ、指針を表すように、指針盤の内部を進行する光を視認者側に導く導光手段とを備えることを特徴としている。
【０００９】
上述の構成によれば、指針盤の内部を進行する光を導光手段により視認者側に導くことで指針を表示する、という新規の構造の透過型円盤指針を備える表示装置を提供できる。
【００１０】
また、指針盤を透光性材料から形成したことにより、指針盤の裏面側に配置された第２文字盤の第２表示部と指針とをオーバラップさせて表示することが可能となる。
【００１１】
また、指針盤を視認方向において湾曲するような形状に形成したので、指針は視認方向において奥行きを有するように見える。すなわち指針の見映えが立体感の強調されたものになる。
【００１２】
したがって、文字盤に設けられた文字や目盛等の表示部と、指針とをオーバラップさせて表示させることができ、且つ立体感に富む斬新な見映えが得られる透過型円盤指針を備える表示装置を提供することができる。
【００１３】
本発明の請求項２に記載の表示装置では、指針盤は視認者側から見て凹面を成すように形成されたことを特徴としている。
【００１４】
上述の構成によれば、指針盤は指針盤に入射した外来光に対して凹面鏡のように作用する。凹面鏡により形成される反射虚像は、凹面鏡の周辺において歪むため、明瞭に視認されない。言い換えると、何が映っているのかよくわからない。したがって、指針盤で反射した外来光により表示装置としての視認性が低下することを抑制することができる。
【００１５】
本発明の請求項３に記載の表示装置は、指針盤の回転軸は指針盤と一体的に形成され、第１光源は回転軸の端面から指針盤の内部に光を照射可能に配置されたことを特徴としている。
【００１６】
従来の表示装置においては、指針盤は、ムーブメントの回転軸に固定される構成となっている。さらに、回転軸は金属材料、つまり非透光性材質から形成されている。このため、指針盤照明用の光源はムーブメントの回転軸の外側に配置され、指針盤内への光源からの光の入射点は、指針盤の回転軸固定用のボス部外側となる。このため、光源からの光が指針盤を透過して直接視認者の目に入射することを阻止するために指針盤前面側に装着される遮光部材が大型化して指針の長さが制限されてしまう。
【００１７】
これに対して、本発明の請求項３の構成によれば、回転軸端面から指針盤内部に光を照射するので、遮光部材を小型化して指針の見映えを良好にすることができる。
【００１８】
本発明の請求項４に記載の表示装置は、第１文字盤は透光性材料により構成され、第1文字盤の内部を光が進行するようになっており、第１文字盤の内部に光を照射する第２光源と、第１文字盤に設けられ、第１表示部を表すように、第１文字盤の内部を進行する光を視認者側に導く導光手段とを備えることを特徴としている。
【００１９】
上述の構成において、第１文字盤は、第１表示部が発光表示され且つ第１表示部以外の部分は透明となっている。したがって、第１表示部と指針とをオーバラップして表示することができる。さらに、第２文字盤を備える場合は、第１表示部、指針および第２表示部をオーバラップして表示することができる。この場合、第１表示部、指針および第２表示部の三者は、視認方向において積層されており、それぞれの視認距離（視認者の目までの距離）が異なっている。したがって、表示装置の見映えが立体的なものになる。
【００２０】
以上から、新規の構造の透過型円盤指針を備える表示装置を提供できるとともに、文字盤に設けられた文字や目盛等の表示部と、指針とをオーバラップさせて表示させることができ、且つ立体感に富む斬新な見映えが得られる透過型円盤指針を備える表示装置を提供することができる。
【００２１】
本発明の請求項５に記載の表示装置は、第１文字盤は視認者側から見て凹面を成すように形成されたことを特徴としている。
【００２２】
第１文字盤は、表示装置の最前面側、つまり視認者側に位置するので、外来光は最初に第１文字盤に入射する。そこで、第１文字盤を上述の形状にすれば、第１文字盤は外来光に対して凹面鏡のように作用して、第１文字盤により形成される反射虚像は、凹面鏡の周辺において歪んで、明瞭に視認されなくなる。言い換えると、何が映っているのかよくわからなくなる。したがって、第１文字盤で外来光が反射し表示装置の視認性が低下することを抑制することができる。
【発明を実施するための最良の形態】
【００２３】
以下、本発明による表示装置を自動車に搭載されるコンビネーションメータ１００に組み込まれたスピードメータＳに適用した場合を例に図面に基づいて説明する。
【００２４】
図１は、本発明の一実施形態によるスピードメータＳを備えたコンビネーションメータ１００の部分正面図である。
【００２５】
図２は、図１中のＩＩ−ＩＩ線断面図である。
【００２６】
図３は、図２中のＩＩＩ部拡大図である。
【００２７】
図４は、本発明の一実施形態によるスピードメータＳの電気回路構成を説明する模式図である。
【００２８】
コンビネーションメータ１００は、自動車の運転席前方の運転者から視認可能な位置に配設され、図１に示すように、当該自動車の走行速度を表示するスピードメータＳを備え、さらに図示しない他の計器や各種インジケータ等を備えている。運転席は、図２においてコンビネーションメータ１００の左側にあり、コンビネーションメータ１００は、図２において左側から視認される。
【００２９】
スピードメータＳにおいては、前面側、すなわち視認者側から、図２に示すように、第１文字盤である文字盤２、指針盤である導光円盤指針１、第２文字盤である目盛板３が配置されている。以下に、スピードメータＳの構成について説明する。
【００３０】
第１文字盤としての文字盤２は、透光性材料、たとえば無色透明のポリカーボネート樹脂あるいはアクリル樹脂等から、略円板状且つ図２に示すように視認者から見て凹面状に形成されている。文字盤２は、後述する指針盤である導光円盤指針１の前面側（図２において左側）に配置されている。
【００３１】
文字盤２は、図１に示すように、第１表示部である文字２ａを備えている。文字２ａは、文字盤２の裏面（図２において右側の面）に、文字２ａの形状を成す溝を設けるとともに、この溝の内壁面にサンドブラスト加工を施すことにより形成されている。文字２ａを形成する溝の内壁面には、サンドブラスト加工により多数の微細な凹凸が形成される。この多数の微細な凹凸が、文字盤２内を進行する後述する第２光源としての発光ダイオード７が発する光を拡散反射して視認者側に導くことにより、文字２ａが発光表示される。すなわち、文字２ａを構成する多数の微細な凹凸が、文字盤２内を進行する光を視認者側に導く導光手段としての機能を果たしている。なお、文字盤２において、文字２ａの周囲は無色透明であるので、文字盤２を透過して文字盤２の背後にあるものが明瞭に視認される。
【００３２】
文字盤２の外周には、図２に示すように、第２光源である発光ダイオード７が、文字盤２の端面から文字盤２内へ光を照射可能に配置されている。発光ダイオード７は、プリント基板１２に実装されている。
【００３３】
指針盤である導光円盤指針１は、透光性材料、たとえば無色透明のポリカーボネート樹脂あるいはアクリル樹脂等から形成されている。導光円盤指針１は、図２に示すように、略円板状且つ図２に示すように視認者から見て凹面状に形成されている。すなわち、導光円盤指針１は、凹面状の円盤部１ａと導光円盤指針１の回転軸である軸部１ｂとから構成されている。
【００３４】
円盤部１ａは、図１に示すように、軸部１ｂを回転中心とする凹面状回転体、言い換えると視認者側に内側を向けた全域に亘り一様な肉厚のお椀状を成している。
【００３５】
軸部１ｂは、円柱状に形成されている。軸部１ｂは、後述するムーブメント１０の出力軸を兼用している。したがって、ムーブメント１０が駆動されると軸部１ｂが回転し、それにより導光円盤指針１が回転する。
【００３６】
円盤部１ａの表面側（図２において左側）且つ軸部１ｂと対向する部分には、図２に示すように、反射面１ｄが形成されている。反射面１ｄは、軸部１ｂと同軸上の円錐面として形成されている。
【００３７】
軸部１ｂの端面に対向させて、図２に示すように、第１光源である発光ダイオード６が軸部１ｂ内に、すなわち導光円盤指針１内に光を照射可能に配置されている。発光ダイオード６から出射した光は、軸部１ｂの端面から軸部１ｂ内に入射し、反射面１ｄにより円盤部１ａに沿う方向に向けて反射され、円盤部１ａ内を進行する。発光ダイオード６は、図２に示すように、プリント基板１１に実装されている。
【００３８】
円盤部１ａの表面側（図２において左側）には、図２に示すように、反射面１ｄを覆う遮光キャップ１ｅが装着されている。遮光キャップ１ｅは、遮光性を備える材質、たとえば金属あるいは着色された樹脂等から、図１に示すように、円形に形成されている。遮光キャップ１ｅは、発光ダイオード６から発せられた光の一部が反射面１ｄから漏れた場合、この光を遮断して、それが視認者の目に入射し視認者が眩しく感じることを防止している。
【００３９】
円盤部１ａの裏面側（図２において右側）には、指針１ｃが設けられている。指針１ｃは、円盤部１ａの裏面側に設けられた溝の内壁面として形成されている。指針１ａを形成する内壁面には、サンドブラスト加工により多数の微細な凹凸が形成されている。この多数の微細な凹凸が、導光円盤指針１内を進行する、詳しくは円盤部１ａ内を進行する発光ダイオード６から発せられた光を拡散反射して視認者側に導くことにより、指針１ａが発光表示される。すなわち、指針１ｃを構成する多数の微細な凹凸が、導光円盤指針１内を進行する光を視認者側に導く導光手段としての機能を果たしている。なお、導光円盤指針１において、指針１ｃを除いた全域は無色透明であるので、導光円盤指針１を透過して導光円盤指針１の背後にあるものが明瞭に視認される。
【００４０】
導光円盤指針１の裏面側（図２において右側）には、第２文字盤である目盛板３が配置されている。目盛板３は、透光性材料、たとえば無色透明のポリカーボネート樹脂あるいはアクリル樹脂等から形成され、その中央に導光円盤指針１と同軸上の貫通孔３ｃを備えている。目盛板３は、図２に示すように、その外周部分は平面状を成し、視認方向において導光円盤指針１と重なる辺りから裏面側に向かって傾斜するように、言い換えると、外周側から内周側、つまり貫通孔３ｃ側に向かうに連れてその面が視認方向において視認者から遠ざかるように形成されている。
【００４１】
目盛板３は、第２表示部である主目盛３ａおよび副目盛３ｂを備えている。ここで、主目盛３ａは、視認者から見ると、図１に示すように、連続した一本の細い帯状に見えるが、実際は、実像部３ａｊと虚像部３ａｋとから構成されている。実像部３ａｊは、図３に示すように、目盛板３に実際に形成されたものであり、虚像部３ａｋは、後述する背景板４に設けられたミラー５上に結像された実像部３ａｊの反射虚像である。両者が連続して一体的に主目盛３ａとして視認される。目盛３ａの実像部３ａｊおよび副目盛３ｂは、目盛板３の表面（図２において左側の面）または裏面（図２において右側の面）に、印刷あるいはホットスタンプを施して形成されている。すなわち、目盛板３の目盛３ａの実像部３ａｊおよび副目盛３ｂ以外の部分に遮光性着色層を設けると共に、目盛３ａの実像部３ａｊおよび副目盛３ｂを透明なままとする、あるいは半透光性着色層を設ける等の処理を施してある。目盛３ａの実像部３ａｊおよび副目盛３ｂは、目盛板３の平面部分から傾斜部分にかけて形成されている。本発明の一実施形態によるスピードメータＳにおいては、実像部３ａｊおよび副目盛３ｂには、透光性白色層が施され、それらの周囲の背景部分には遮光性黒色層が施されている。
【００４２】
目盛板３の裏側には、図２に示すように、発光ダイオード８が目盛板３を照射するように配置されている。目盛３ａの実像部３ａｊおよび副目盛３ｂは、発光ダイオード８に透過照明されて発光表示される。さらに、実像部３ａｊと、実像部３ａｊのミラー５上の反射虚像である虚像部３ａｋとが連続した一つの目盛として主目盛３ａが発光表示される。
【００４３】
視認方向において、目盛板３の傾斜部分の途中には、図２に示すように、背景板４が配置されている。背景板４は、樹脂材料あるいは金属材料から円板状に形成されている。背景板４は、図２に示すように、平面部４ａと、平面部４ａの外周側に形成された円錐面部４ｂとから構成されている。背景板４と目盛板３との間には、図２に示すように、わずかな隙間Ｗが形成されている。円錐面部４ｂは、図２に示すように、その外周から内周に向かうに連れて前面側（図２において左側）に向かうように形成されている。背景板４の平面部４ａには、黒色層が施されている。この黒色層は、その色調や艶が目盛板３の遮光性黒色層と同一に設定されている。これにより、目盛板３と背景板４とは、あたかも一体であるかのような見映えとなる。
【００４４】
背景板４の円錐面部４ｂには、ミラー５が固定されている。ミラー５は、樹脂材料から円錐面部４ｂと略同一形状のリング状に形成されている。ミラー５の前面側表面は、金属蒸着層を形成する、あるいは金属めっき層を形成することにより鏡面状態となっている。
【００４５】
ここで、目盛板３に形成された主目盛３ａの実像部３ａｊは、図３に示すように、視認者から見て視認方向においてミラー５よりも奥側へ延長されている。これにより、ミラー５上に結像された実像部３ａｊの反射虚像である虚像部３ａｋと、実像部３ａｊとが完全に連続して視認される。すなわち、一本の主目盛３ａとして視認される。
【００４６】
背景板４の裏側には、図２に示すように、導光円盤指針１を回転させるためのムーブメント１０が配置されている。ムーブメント１０は、たとえばステッピングモータ、あるいは交差コイル式回転機等の電気アクチュエータから構成される。ムーブメント１０の回転軸は、導光円盤指針１の軸部１ｂを兼用している。ムーブメント１０は、速度センサ２１からの検出信号に基づいて算出された走行速度に対応した角度だけ軸部１ｂを回転させるように後述するコントローラ１４により駆動される。それにより、指針１ｃが文字盤２および目盛板３と協働して走行速度を指示する。ムーブメント１０は、図２に示すように、プリント基板１１に実装されている。
【００４７】
背景板４の裏側且つ目盛板３の貫通孔３ｃの内側には、図２に示すように、発光ダイオード９が配置されている。発光ダイオード９は、図２において左側に向けて光を照射するように配置されている。発光ダイオード９から発せられた光は、背景板４と目盛板３との間の隙間Ｗから前面側へ出射して目盛板３の表面を照射する。すなわち、隙間Ｗが、目盛板３を照射する光源としての役割を果たしている。これを視認者から見ると、目盛板３は、隙間Ｗに隣接した部分、すなわち背景板４と対抗している部分が最も明るく、隙間Ｗから前面側（図２において左側）に向かうに連れて、言い換えると目盛板３の外周側に向かうに連れて徐々に暗くなるように、つまりグラデーション状に視認される。すなわち、目盛板３の隙間Ｗから出射した光に照射された部分は、あたかも太陽のコロナのような見映えとなる。
【００４８】
目盛板３の裏側（図２において右側）には、図２に示すように、スピードメータＳの電気回路部を構成するプリント基板１１が配置されている。プリント基板１１は、たとえばガラスエポキシ基盤等からなり、各発光ダイオード６、７、８、９およびムーブメント１０が実装されている。さらに、プリント基板８には、各発光ダイオード６、７、８、９の点灯・消灯制御、ムーブメント１０の駆動制御を行うコントローラ１４が実装されている。コントローラ１４は、たとえばマイクロコンピュータ等から構成されている。なお、プリント基板１１は、スピードメータＳだけではなく、コンビネーションメータ１００の電気回路部も構成している。なお、発光ダイオード７が実装されたプリント基板１２、１３は、図示しないリード線等により、プリント基板１１と電気的に接続されている。
【００４９】
以上説明した、導光円盤指針１、文字盤２、目盛板３、背景板４およびプリント基板１１等は、ケーシング１５内に収容・固定されている。ケーシング１５は、たとえば樹脂材料等から形成されている。
【００５０】
文字盤２の前面側（図２において左側）には、略枠状の見返し板１６が装着されている。見返し板１６は、たとえば樹脂材料から形成されている。見返し板１６の視認者側端部には、図２に示すように、透明カバー１７が装着されている。透明カバー１７は、透明な樹脂あるいはガラス等の薄板から形成されている。見返し板１４をおよび透明カバー１５は、スピードメータＳの見映えを整えるとともに、スピードメータＳ内部への埃、水分の侵入を防止している。
【００５１】
一方、ケーシング１３の背後には、図２に示すように、ロアカバー１８が装着されている。ロアカバー１８は、たとえば樹脂材料から形成されている。
【００５２】
次に、本発明の一実施形態によるスピードメータＳの電気回路構成およびその作動について、図４に基づいて説明する。
【００５３】
図４に示すように、コントローラ１４には、バッテリ２０から電力が常時供給されている。また、コントローラ１４は、イグニッションスイッチ１９が、その作動状態（ＯＮまたはＯＦＦ）を検出可能に接続されている。
【００５４】
コントローラ１４には、図４に示すように、各発光ダイオード６、７、８，９およびムーブメント１０が接続されている。
【００５５】
コントローラ１４には、図４に示すように、自動車の走行速度を検出するための速度センサ２１が検出信号を入力可能に接続されている。速度センサ２１は、たとえば、電磁ピックアップ型等が用いられており、自動車の変速機の出力軸であるプロペラシャフトの回転数を検出している。
【００５６】
運転者の操作によりイグニッションスイッチ１９がＯＮ状態に切り替えられると、コントローラ１４はそれを検知して、スピードメータＳの作動を開始する。すなわち、各発光ダイオード６、７、８，９を点灯させる。同時に、速度センサ２１からの検出信号に基づいて自動車の走行速度を算出し、算出した走行速度を導光円盤指針１の指針計器１ｃが指示する角度位置となるようにムーブメント９を駆動する。
【００５７】
これにより、第１文字盤２の文字２ａ、目盛板３の主目盛３ａおよび副目盛３ｂ、導光円盤指針１の指針１ｃは白色で発光表示される。同時に目盛板３において、背景板４より外周側の部分が環状且つグラデーション的に照明される。この環状照明部分の色は、発光ダイオード９の発光色となる。たとえば、発光ダイオード９として青色発光ダイオードを用いれば、目盛板３の環状照明部分は青色で視認される。
【００５８】
この場合、第１文字盤２の文字２ａを除いた部分および導光円盤指針１の指針１ｃを除いた部分は無色透明であるため、文字２ａ、指針１ｃおよび目盛板３の主目盛３ａあるいは副目盛３ｂは重なって視認される。
【００５９】
次に、本発明の一実施形態によるスピードメータＳの特徴である導光円盤指針１、文字盤２および目盛板３の構成と、それら作用効果、特に視認性におよぼす効果について説明する。
【００６０】
本発明の一実施形態によるスピードメータＳにおいては、導光円盤指針１を無色透明の樹脂材料から形成し、指針１ｃを、溝状に形成して導光円盤指針１内を進行する光を視認者に向けて反射することで発光表示している。これにより、新規の構造の透過型円盤指針を備えるスピードメータＳを提供できる。
【００６１】
また、導光円盤指針１の前面側に無色透明の樹脂材料から成り文字２ａを備える文字盤２を配置するとともに、導光円盤指針１の裏面側に主目盛３ａおよび副目盛３ｂ備える目盛板３を配置した。これにより、文字２ａ、主目盛３ａおよび副目盛３ｂと指針１ｃとをオーバラップさせて表示することができる。したがって、良好な視認性、且つ斬新な見映えのスピードメータＳを提供できる。
【００６２】
また、導光円盤指針１を視認方向において湾曲する、つまり視認者側から見て凹面を成す形状に形成するとともに、文字盤２も同様に視認者側から見て凹面を成す形状に形成した。これにより、指針１ｃはその長手方向の位置により視認者の目までの距離である視認距離が異なり、指針１ｃの見映えが立体感の強調されたものとなる。したがって、文字２ａ、主目盛３ａおよび副目盛３ｂと指針１ｃとをオーバラップさせて表示することと相まって、立体感に富み且つ斬新な見映えのスピードメータＳを提供できる。さらに、導光円盤指針１および文字盤２を視認者側から見て凹面を成す形状に形成したことにより、これらを凹面鏡のように作用させ、スピードメータＳに入射した外来光により文字盤２および導光円盤指針１上に結像される反射虚像を歪めて不明瞭なものとして、これらの反射虚像によってスピードメータＳの視認性が低下することを抑制できる。
【００６３】
また、導光円盤指針１の回転軸を、導光円盤指針１と一体成型された軸部１ｂとし、且つ軸部１ｂの端面から発光ダイオード６からの光を導光円盤指針１内に導入している。これにより、導光円盤指針１内への光の入射点を導光円盤指針１の回転中心として、光源からの光が指針盤を透過して直接視認者の目に入射することを阻止するために指針盤前面側に装着される遮光部材の直径を小型化することができる。したがって、指針１ｃの長さあるいは形状の設定自由度を高めることができる。
【００６４】
なお、以上説明した、本発明の一実施形態によるスピードメータＳにおいては、導光円盤指針１が備える指針１ｃを、円盤部１ａの裏面に溝を設け且つ溝の内壁面にサンドブラストを施すことにより形成しているが、このような構成に限定する必要は無く、導光円盤指針１内を進行する光を視認者に向けて反射可能な導光手段であれば、他の構成としてもよい。たとえば、円盤部１ａの裏面に指針１ｃの形状に着色層を施してもよい。
【００６５】
また、以上説明した、本発明の一実施形態によるスピードメータＳにおいては、文字盤２が備える文字２ａを、文字盤２の裏面に溝を設け且つ溝の内壁面にサンドブラストを施すことにより形成しているが、このような構成に限定する必要は無く、文字盤２内を進行する光を視認者に向けて反射可能な導光手段であれば、他の構成としてもよい。たとえば、文字盤２の裏面に文字２ａの形状に着色層を施してもよい。
【００６６】
また、以上説明した、本発明の一実施形態によるスピードメータＳにおいては、目盛板３の内側に背景板４を配置するとともに、発光ダイオード９により目盛板３を照射する構成としているが、背景板４および発光ダイオード９を省略し目盛板３を導光円盤指針１の軸部１ｂ付近まで延長してもよい。
【００６７】
また、以上説明した、本発明の一実施形態によるスピードメータＳにおいては、文字盤２の形状を、視認者側から見て凹面状に形成しているが、平面状とし且つ表面に防眩膜処理を施しても良い。
【００６８】
また、以上説明した、本発明の一実施形態によるスピードメータＳでは、第１光源および第２光源として発光ダイオードを用いているが他の種類の光源、たとえば放電等、ＥＬパネル等に置き換えてもよい。
【００６９】
また、以上説明した実施形態は表示装置をスピードメータＳに適用した場合を例に説明してきたが、スピードメータＳに限る必要は無く、他の種類の計器、たとえば、当該自動車のエンジン回転速度を指示するタコメータ、燃料タンク内の残存燃料量を指示する燃料計、エンジン冷却水温度を指示する水温計等に適用してもよい。また、一つのコンビネーションメータ１００内に本発明による表示装置を複数個備えてもよい。
【図面の簡単な説明】
【００７０】
【図１】本発明の一実施形態によるスピードメータSを備えたコンビネーションメータ１００の部分正面図である。
【図２】図１中のＩＩ−ＩＩ線断面図である。
【図３】図１中のＩＩＩ−ＩＩＩ線断面図である。
【図４】本発明の一実施形態によるスピードメータＳの電気回路構成を説明する模式図である。
【符号の説明】
【００７１】
１    導光円盤指針（指針盤）
１ａ    指針
１ｂ    軸部
１ｃ    指針（導光手段）
１ｄ    反射面
１ｅ    遮光キャップ
２    文字盤（第１文字盤）
２ａ    文字（第１表示部）
２ａ１    微細凹凸（導光手段）
３    目盛板（第２文字盤）
３ａ    主目盛（第２表示部）
３ａｊ    実像部
３ａｋ    虚像部
３ｂ    副目盛（第２表示部）
３ｃ    貫通孔
４    背景板
４ａ    平面部
４ｂ    円錐面部
５    ミラー
６    発光ダイオード（第１光源）
７    発光ダイオード（第２光源）
８    発光ダイオード
９    発光ダイオード
１０    ムーブメント
１１    プリント基板
１２    プリント基板
１３    プリント基板
１４    コントローラ
１５    ケーシング
１６    見返し板
１７    透明カバー
１８    ロアカバー
１９    イグニッションスイッチ
２０    バッテリ
２１    速度センサ
１００  コンビネーションメータ
Ｓ    スピードメータ（表示装置）
Ｗ    隙間
【図１】
2007309836.tif 000003
【図２】
2007309836.tif 000004
【図３】
2007309836.tif 000005
【図４】
2007309836.tif 000006